(57)【要約】      （修正有）【課題】保管・運搬における諸問題の解決を図ると共に、分割されたパーツの組立作業を容易にした折畳式消火器格納箱を提供する。【解決手段】左右の側板と背板１１とを備えた格納箱本体１０と、格納箱本体１０の正面開口部に開閉自在に取り付けられる扉体４０と、格納箱本体１０の上部を塞ぐ天板３０と、格納箱本体１０の下部を塞ぐ底板２０とから構成する。格納箱本体１０は、背板１１の左側垂直縁と左側板１３ａの後方垂直縁とを蝶着すると共に背板１１の右側垂直縁と右側板１３ｂの後方垂直縁とを蝶着することにより折り畳み可能に形成し、格納箱本体１０と扉体４０と底板２０と天板３０に分割されたパーツを所定の手順に従い組み立てて完成させる。【選択図】図２
0003170926.tif 000002
【実用新案登録請求の範囲】
【請求項１】
左右の側板と背板とを備えた格納箱本体と、前記格納箱本体の正面開口部に開閉自在に取り付けられる扉体と、前記格納箱本体の上部を塞ぐ天板と、前記格納箱本体の下部を塞ぐ底板とから構成され、前記格納箱本体は、前記背板の左側垂直縁と左側板の後方垂直縁とを蝶着すると共に前記背板の右側垂直縁と右側板の後方垂直縁とを蝶着することにより折り畳み可能に形成し、前記格納箱本体と前記扉体と前記底板と前記天板に分割されたパーツを所定の手順に従い組み立てて完成させることを特徴とする折畳式消火器格納箱。
【請求項２】
前記背板の内側下端縁に前記底板の後側垂下部を嵌め込む隙間を形成し、前記左右の側板の各下端縁及び前記底板の左右の垂下部の対向する位置にねじ孔をそれぞれ設け、前記左右の側板の各下端縁に前記底板の左右の垂下部を当接させて前記各ねじ孔にねじを螺着して前記格納箱本体の下部を塞ぐことを特徴とする請求項１に記載の折畳式消火器格納箱。
【請求項３】
前記天板の前方下端部の両側に前記左右の側板の前方上端部の各隅部に嵌め込む爪をそれぞれ形成し、前記左右の側板の各上端縁及び前記天板の左右の垂下部の対向する位置にねじ孔をそれぞれ設け、前記左右の側板の各上端縁に前記天板の左右の垂下部を当接させて前記各ねじ孔にねじを螺着して前記格納箱本体の上部を塞ぐことを特徴とする請求項１に記載の折畳式消火器格納箱。
【請求項４】
前記扉体の左右いずれか一方の前方垂直縁を前記格納箱本体に蝶着することにより開閉自在に取り付け、前記扉体の前面に把手を嵌め込む角穴を形成したことを特徴とする請求項１に記載の折畳式消火器格納箱。
【考案の詳細な説明】
【技術分野】
【０００１】
本考案は、保管・運搬における問題の解決を図ると共に、分割されたパーツの組立作業を容易にした折畳式消火器格納箱に関する。
【背景技術】
【０００２】
従来技術にかかる消火器格納箱は、略六面体形状の板金製の消火器格納箱であって、左右の側板と背板と消火器を出し入れする正面開口部とを備えた格納箱本体と、上記格納箱本体の正面開口部に開閉自在に取り付けられた扉体と、上記格納箱本体の上部を塞ぐべく格納箱本体に外嵌して溶接された天板と、上記格納箱本体の下部を塞ぐべく格納箱本体に溶接された底板とを備えているものが一般的である。
【０００３】
実用新案登録第３０９４０５２号公報（特許文献１）には、曲げ加工により天板を製造した場合に天板に生じる隙間をなくして消火器格納箱内への雨水の侵入等を防止することを目的とし、天板の前後左右の各辺に垂設した各垂下部と同天板とをそれぞれ円弧板部を介して連続させて一体に形成し、各垂下部のうち、隣り合う垂下部同士を、それぞれ円弧板部を介して連続させて一体に形成する「板金製の消火器格納箱」の考案が提案されている。
【０００４】
また、実用新案登録第３１００８２１号公報（特許文献２）には、消火器格納箱における正面側開口部の開閉扉構造を工夫することにより格納箱の奥行き寸法を小さくすることを目的とし、ある程度の厚みを有した開閉自在の扉を有する方形の消火器格納箱であって、該格納箱の扉には、格納消火器に対面する裏側に、消火器管胴部の一部を受け入れ可能な凹部を形成してなる「消火器の格納箱」の考案が提案されている。
【先行技術文献】
【特許文献】
【０００５】
【特許文献１】実用新案登録第３０９４０５２号公報
【特許文献２】実用新案登録第３１００８２１号公報
【考案の概要】
【考案が解決しようとする課題】
【０００６】
しかし、従来例にかかる消火器格納箱は、製造メーカー内において板金加工された各パーツを溶接工程・組立工程等を経て完成されるため、倉庫内に保管する際には保管スペースの問題が発生し、運搬する際には嵩張るので作業に手間がかかるばかりでなく、運搬コストが高くなるという問題を有している。
そこで、本考案は、上記のような保管・運搬における諸問題の解決を図ると共に、分割されたパーツの組立作業を容易にした折畳式消火器格納箱を提供することを目的とする。
【課題を解決するための手段】
【０００７】
上記の課題を解決するために、請求項１に記載の考案は、左右の側板と背板とを備えた格納箱本体と、前記格納箱本体の正面開口部に開閉自在に取り付けられる扉体と、前記格納箱本体の上部を塞ぐ天板と、前記格納箱本体の下部を塞ぐ底板とから構成され、前記格納箱本体は、前記背板の左側垂直縁と左側板の後方垂直縁とを蝶着すると共に前記背板の右側垂直縁と右側板の後方垂直縁とを蝶着することにより折り畳み可能に形成し、前記格納箱本体と前記扉体と前記底板と前記天板に分割されたパーツを所定の手順に従い組み立てて完成させることを特徴とする。
【０００８】
また、請求項２に記載の考案は、請求項１に記載の前記背板の内側下端縁に前記底板の後側垂下部を嵌め込む隙間を形成し、前記左右の側板の各下端縁及び前記底板の左右の垂下部の対向する位置にねじ孔をそれぞれ設け、前記左右の側板の各下端縁に前記底板の左右の垂下部を当接させて前記各ねじ孔にねじを螺着して前記格納箱本体の下部を塞ぐことを特徴とする。
【０００９】
また、請求項３に記載の考案は、請求項１に記載の前記天板の前方下端部の両側に前記左右の側板の前方上端部の各隅部に嵌め込む爪をそれぞれ形成し、前記左右の側板の各上端縁及び前記天板の左右の垂下部の対向する位置にねじ孔をそれぞれ設け、前記左右の側板の各上端縁に前記天板の左右の垂下部を当接させて前記各ねじ孔にねじを螺着して前記格納箱本体の上部を塞ぐことを特徴とする。
【００１０】
また、請求項４に記載の考案は、請求項１に記載の前記扉体の左右いずれか一方の前方垂直縁を前記格納箱本体に蝶着することにより開閉自在に取り付け、前記扉体の前面に把手を嵌め込む角穴を形成したことを特徴とする。
【考案の効果】
【００１１】
以上のように、本考案にかかる折畳式消火器格納箱によれば、折り畳み可能に形成されている格納箱本体と扉体と底板と天板に分割されたパーツから構成されているので、梱包箱にコンパクトに収納することができる。このため、従来有していた保管スペースの問題や運搬作業・運搬コストの問題を解決することが可能になる。
さらに、本考案にかかる折畳式消火器格納箱では、左右の側板の各下端縁に底板の左右の垂下部を当接させて各ねじ孔にねじを螺着して格納箱本体の下部を塞ぐようにしたので、格納箱本体と底板とを簡単に組み立てることができる。また、左右の側板の各上端縁に天板の左右の垂下部を当接させて各ねじ孔にねじを螺着して格納箱本体の上部を塞ぐようにしたので、格納箱本体と天板とを簡単に組み立てることができる。また、扉体を格納箱本体に蝶着して開閉自在に取り付けるようにしたので、格納箱本体と扉体とを簡単に組み立てることができる。このため、分割されたパーツを所定の手順に従い簡単に組み立てて完成させることが可能になる。
【図面の簡単な説明】
【００１２】
【図１】（Ａ）は本考案にかかる折畳式消火器格納箱の組立完了後を示す正面図、（Ｂ）はその右側面図、（Ｃ）は（Ａ）におけるＡ−Ａ部の矢印方向断面図である。
【図２】図１に示す折畳式消火器格納箱の分解斜視図である。
【図３】（Ａ）は格納箱本体の正面図、（Ｂ）はその平面図である。
【図４】（Ａ）は底板の正面図、（Ｂ）はその右側面図、（Ｃ）はその背面図、（Ｄ）はその底面図である。
【図５】（Ａ）は天板の正面図、（Ｂ）はその右側面図、（Ｃ）はその底面図である。
【図６】（Ａ）は扉体の正面図、（Ｂ）はその平面図である。
【考案を実施するための形態】
【００１３】
以下、本考案の実施形態の一例について図面を参酌しながら説明する。本考案にかかる折畳式消火器格納箱（図１参照）は、図３に示す格納箱本体１０と、図４に示す底板２０と、図５に示す天板３０と、図６に示す扉体４０に分割されたパーツを所定の手順に従い組み立てて完成させることを特徴とする。なお、板金の材料としては、鉄板製又はステンレス製が好ましい。
【００１４】
格納箱本体１０は、図２及び図３に示すように、背板１１の左側垂直縁と左側板１３ａの後方垂直縁とをヒンジ１４ａを介して蝶着すると共に、背板１１の右側垂直縁と右側板１３ｂの後方垂直縁とをヒンジ１４ｂを介して蝶着することにより折り畳み可能に形成されている。左側板１３ａの前方垂直縁と右側板１３ｂの前方垂直縁には、扉受け部１７ａ、１７ｂが形成されており、図３（Ｂ）に示すように左右の側板１３ａ、１３ｂを前方に移動して対向させたときに、扉受け部１７ａ、１７ｂの間に消火器を出し入れする正面開口部が形成される。扉受け部１７ｂの開口端には、メスの蝶番１９が設けられ、後述する扉体４０の蝶番４１のピン４２（図６参照）を差し込んで嵌め込むことにより、扉体４０が正面開口部に開閉自在に取り付けられる。
【００１５】
背板１１の内側下端縁には、図２及び図３に示すように、係合部１２が設けられており、後述する底板２０の係合部２１（図４参照）を嵌め込むことが可能な隙間が形成されている。また、左右の側板１３ａ、１３ｂの各下端縁及び各上端縁には、後述する底板２０及び天板３０をねじ止めするためのねじ孔１５a、１５ｂ、１６ａ、１６ｂがそれぞれ設けられている。
【００１６】
底板２０は、図２及び図４に示すように、後側垂下部に前述した背板１１の係合部１２の隙間に嵌め込む係合部２１が設けられている。また、底板２０の左右の垂下部２２には、一対のねじ孔２３が設けられており、前述した左右の側板１３の各下端縁に底板２０の左右の垂下部２２を当接させ、対向する位置の各ねじ孔１５、２３にねじ６０を締め付けて格納箱本体１０の下部を塞ぐことができる。なお、ねじ６０の種類としては、薄い鋼板に下穴を開けるだけでめねじを切らずにそのまま締結が可能なタッピングねじが好ましい。
【００１７】
天板３０は、図２及び図５に示すように、前方下端部の両側に前述した左右の側板１３の前方上端部の各隅部１８ａ、１８ｂに嵌め込む爪３１ａ、３１ｂがそれぞれ形成されている。また、天板３０の左右の垂下部３２には、一対のねじ孔３３が設けられており、前述した左右の側板１３の各上端縁に天板３０の左右の垂下部３２を当接させ、対向する位置の各ねじ孔１６、３３にねじ６０を締め付けて格納箱本体１０の上部を塞ぐことができる。なお、雨水等を流下させるべく天板３０を前下がりに傾斜させている。
【００１８】
扉体４０は、図２及び図６に示すように、右側の前方垂直縁に蝶番４１が設けられている。上述したように、蝶番４１のピン４２を格納箱本体１０のメスの蝶番１９に差し込んで嵌め込み、扉体４０が正面開口部に開閉自在に取り付けられる。また、扉体４０の左側の前面中央には、把手５０を嵌め込む角穴４３が形成されている。また、扉体４０の左側の側面中央には、扉受け部１７ａの側面部に係止する係止具４４が設けられている。
【００１９】
本考案にかかる折畳式消火器格納箱の組み立て手順について説明する。
（１）梱包箱にコンパクトに収納されている格納箱本体１０、扉体４０、底板２０、天板３０、把手５０の各パーツを取り出す。
（２）底板２０の係合部２１を背板１１の係合部１２の隙間に差し込んで嵌め込み、左右の側板１３の各下端縁に底板２０の左右の垂下部２２を当接させ、対向する位置の各ねじ孔１５、２３にねじ６０を締め付ける。
（３）天板３０の爪３１を左右の側板１３の前方上端部の各隅部１８に押し込んで嵌め込み、左右の側板１３の各上端縁に天板３０の左右の垂下部３２を当接させ、対向する位置の各ねじ孔１６、３３にねじ６０を締め付ける。
（４）扉体４０の蝶番４１のピン４２を格納箱本体１０のメスの蝶番１９に差し込んで嵌め込み、扉体４０を正面開口部に開閉自在に取り付ける。
（５）扉体４０の角穴４３に把手５０を押し込んで嵌め込む。
以上のように、本考案にかかる折畳式消火器格納箱は、分割されたパーツを所定の手順に従い簡単に組み立てて完成させることができる。
【符号の説明】
【００２０】
１０  格納箱本体
１１  背板
１２  係合部
１３  側板
１４  ヒンジ
１５  ねじ孔
１６  ねじ孔
１７  扉受け部
１８  隅部
１９  蝶番
２０  底板
２１  係合部
２２  垂下部
２３  ねじ孔
３０  天板
３１  爪
３２  垂下部
３３  ねじ孔
４０  扉体
４１  蝶番
４２  ピン
４３  角穴
４４  係止具
４５  窓部
５０  把手
６０  ねじ
【図１】
0003170926.tif 000003
【図２】
0003170926.tif 000004
【図３】
0003170926.tif 000005
【図４】
0003170926.tif 000006
【図５】
0003170926.tif 000007
【図６】
0003170926.tif 000008